(57)【要約】【課題】  タッチパネルの座標の校正を正確に行なうことができるタッチスクリーンを提供する。【解決手段】  画像を表示する液晶パネル２と、液晶パネル２上に配置されたタッチパネル３と、タッチパネル３上の所定の微小領域Ｍを押圧する押圧釦４と、タッチスクリーン１の各部の制御を行なう制御部とを備え、制御部で押圧釦４により所定の微小領域Ｍを押圧して検出された検出座標値と当該所定の微小領域Ｍが示すべき座標値として予め設定された基準座標値との座標値差に基づいてタッチパネルの座標を校正するようにタッチスクリーン１を構成する。【選択図】  図１
2005157675.tif 000002
【特許請求の範囲】
【請求項１】
画像を表示するスクリーンと、スクリーン上に配置されたタッチパネルと、タッチパネル上の所定の微小領域を押圧する押圧釦と、当該タッチスクリーンの各部の制御を行なう制御部とを備え、
制御部で押圧釦により所定の微小領域を押圧して検出された検出座標値と当該所定の微小領域が示すべき座標値として予め設定された基準座標値との座標値差に基づいてタッチパネルの座標を校正するタッチスクリーン。
【請求項２】
スクリーンの画像表示領域外までタッチパネルを延設させるとともに、押圧操作される操作面とタッチパネル上の微小領域を押圧する押圧突起とを有する押圧釦を操作面及び押圧突起をスクリーンの画像表示領域外に位置させて配置し、押圧釦でスクリーンの画像表示領域外にあるタッチパネル上の所定の微小領域を押圧する請求項１記載のタッチスクリーン。
【請求項３】
押圧操作される操作面とタッチパネル上の微小領域を押圧する押圧突起と当該操作面と押圧突起とを押圧方向と直行する方向に延長させて連結する連結部材とを有する押圧釦を、操作面を画像表示領域外に押圧突起を画像表示領域内にそれぞれ位置させて配置し、押圧釦でスクリーンの画像表示領域内にあるタッチパネル上の所定の微小領域を押圧する請求項１記載のタッチスクリーン。
【請求項４】
押圧釦が電源釦や入力釦等の操作釦としての機能を併せ有する請求項１記載のタッチスクリーン。
【請求項５】
押圧釦を押圧する駆動部と、予め設定された条件に従って駆動部を動作させる駆動制御部とを備えた請求項１記載のタッチスクリーン。
【発明の詳細な説明】
【技術分野】
【０００１】
本発明はスクリーン上にタッチパネルを配置して構成した表示装置、いわゆるタッチスクリーンに関するものであり、より詳細にはタッチパネルの座標の校正が可能なタッチスクリーンに関するものである。
【背景技術】
【０００２】
従来から、スクリーン上にタッチパネルを配置したタッチスクリーンが用いられている。このタッチパネルは、例えば、一対の抵抗膜を離間配置して構成され、押圧位置における両抵抗膜の接触時のオン抵抗による電圧降下から電圧データを抽出し、押圧位置のＸ座標及びＹ座標を特定するものである。
【０００３】
そして、このタッチパネルでは、経年変化等によりスクリーン上のタッチポイント表示位置とタッチパネルのタッチポイント検出位置（検出座標値）とにずれが生じるため、定期的にタッチパネルの座標を校正することがなされている（例えば、特許文献１参照。）。
【０００４】
また、このタッチパネルの座標の校正を、ユーザが意識することなく通常の使用状態の中で自動的に行なえるようにしたものもある（例えば、特許文献２参照。）。
【特許文献１】特公平５−３１７６６号公報
【特許文献２】特開２００２−１４９３４８号公報
【発明の開示】
【発明が解決しようとする課題】
【０００５】
ところが、上述した従来のタッチパネルの校正においては、スクリーン上に表示される校正用のタッチポイントをユーザ自身が狙いを定めて押圧し、これにより検出されたタッチパネル上の検出座標値に基づいて校正を行なうので、ユーザの押圧誤差などでスクリーン上に表示される校正用のタッチポイントの位置を正確に押圧されない場合には、タッチパネルの座標の校正を正確に行なうことができない。
【０００６】
本願発明は、かかる状況に鑑みて成されたものであり、その課題とするところは、ユーザの押圧精度に左右されることなく、タッチパネルの座標の校正を正確に行なうことができるタッチスクリーンを提供することにある。
【課題を解決するための手段】
【０００７】
上記課題を解決するため、請求項１に記載の発明は、画像を表示するスクリーンと、スクリーン上に配置されたタッチパネルと、タッチパネル上の所定の微小領域を押圧する押圧釦と、当該タッチスクリーンの各部の制御を行なう制御部とを備え、制御部で押圧釦により所定の微小領域を押圧して検出された検出座標値と当該所定の微小領域が示すべき座標値として予め設定された基準座標値との座標値差に基づいてタッチパネルの座標を校正するようにタッチスクリーンを構成した。
【０００８】
また、請求項２に記載の発明は、スクリーンの画像表示領域外までタッチパネルを延設させるとともに、押圧操作される操作面とタッチパネル上の微小領域を押圧する押圧突起とを有する押圧釦を操作面及び押圧突起をスクリーンの画像表示領域外に位置させて配置し、押圧釦でスクリーンの画像表示領域外にあるタッチパネル上の所定の微小領域を押圧するように請求項１記載のタッチスクリーンを構成した。
【０００９】
また、請求項３に記載の発明は、押圧操作される操作面とタッチパネル上の微小領域を押圧する押圧突起と当該操作面と押圧突起とを押圧方向と直行する方向に延長させて連結する連結部材とを有する押圧釦を、操作面を画像表示領域外に押圧突起を画像表示領域内にそれぞれ位置させて配置し、押圧釦でスクリーンの画像表示領域内にあるタッチパネル上の所定の微小領域を押圧するように請求項１記載のタッチスクリーンを構成した。
【００１０】
更に、請求項４に記載の発明は、押圧釦が電源釦や入力釦等の操作釦としての機能を併せ有するように請求項１記載のタッチスクリーンを構成した。
【００１１】
また、請求項５に記載の発明は、押圧釦を押圧する駆動部と、予め設定された条件に従って駆動部を動作させる駆動制御部とを備えて請求項１記載のタッチスクリーンを構成した。
【発明の効果】
【００１２】
請求項１に記載の発明によれば、押圧釦により所定の微小領域を押圧するので、所定の微小領域を正確に押圧することができ、ひいてはタッチパネルの座標の校正を正確に行なうことができるタッチスクリーンを提供する。
【００１３】
請求項２に記載の発明によれば、スクリーンの画像表示領域外までタッチパネルを延設させるとともに、当該画像表示領域外にあるタッチパネルの微小領域を押圧すべく画像表示領域外に押圧釦を配置させたので、スクリーンの画像表示性を低下させることなく、タッチパネルの座標の校正を正確に行なうことができるタッチスクリーンを提供する。
【００１４】
請求項３に記載の発明によれば、面積が大きくスクリーン表示の邪魔になり易い操作面を表示領域外に、スクリーン表示の邪魔になり難い押圧突起を表示領域内に配置することにより、タッチパネルを表示領域外に延在させる必要をなくして、スクリーンの表示性をある程度維持しつつ、タッチパネルの座標の校正を正確に行なうことができるタッチスクリーンを低コストで提供する。
【００１５】
請求項４に記載の発明によれば、押圧釦が電源釦や入力釦等の操作釦としての機能を併せ有するので、操作釦を操作した際に同時にタッチパネルの校正を行なうことができ、タッチパネルの座標の校正を煩雑なく正確に行なうことができるタッチスクリーンを提供する。
【００１６】
請求項５に記載の発明によれば、設定された条件に従って駆動制御部で駆動部を制御して押圧釦を押圧するので、タッチパネルの座標の校正を煩雑なく正確に行なうことができるタッチスクリーンを提供する。
【発明を実施するための最良の形態】
【００１７】
以下、本発明の一実施形態について説明する。以下に示す実施形態は、壁などに配設されて各種設備の設定などを行なうタッチスクリーンに本発明を適用した場合の実施形態である。
【００１８】
（１）第１実施形態：
（１−１）タッチスクリーンの構成：
先ず、第１実施形態に係るタッチスクリーンの構成について、図１及び図２を参照して説明する。図１は、第１実施形態に係るタッチスクリーンの概略図である。図１において、（Ａ）は正面図、（Ｂ）は（Ａ）におけるａ−ａ断面図、（Ｃ）は（Ａ）におけるｂ−ｂ断面図、（Ｄ）は（Ｂ）における押圧釦部分の拡大図である。図２は、第１実施形態に係るタッチパネルの断面図である。
【００１９】
図１に示すように、タッチスクリーン１は、スクリーンとしての液晶パネル２と、液晶パネル２の上に配置されるタッチパネル３と、タッチパネル３上の所定の微小領域Ｍを押圧する押圧釦４と、タッチスクリーン１の前面部を覆うカバー５と、液晶パネル２やタッチパネル３などのタッチスクリーン１の各部の制御を行なう制御部（図示せず）と、を主に備えて構成される。
【００２０】
液晶パネル２は、液晶を利用した表示装置であり、２枚のガラス板の間に特殊な液体を封入し、電圧をかけることによって液晶分子の向きを変え、光の透過率を増減させることで画像を表示する表示装置である。なお、液晶パネル２の背後には蛍光灯などのバックライト（図示せず)が配置され、このバックライトの光によって液晶パネル２の画像を表示する。
【００２１】
タッチパネル３は、指や専用のペンで押圧された位置（Ｘ座標及びＹ座標）を検出して、検出された位置に対応する所定の入力操作を行なうものである。具体的には、タッチパネル３は、図２に示すように、抵抗膜でなる２枚の透明シート３１ａ，３１ｂを離間して配置するとともに、これら透明シート３１ａ，３１ｂ間に格子状に絶縁スペーサ３２を配置して構成され、押圧時に表面側の透明シート３１ａが変形して裏面側の表面シート３１ｂに接することによる電圧降下から押圧位置（検出座標値）を検出する。
【００２２】
押圧釦４は、タッチパネル３上の所定の微小領域Ｍを押圧するためのもので、指や専用のペンで押圧操作する操作面４１と、操作面の裏面側に配設され微小断面の先端部４２ａを有する押圧突起４２とで構成される。ここで、押圧突起４２の先端部４２ａの断面は、タッチパネル３の位置検出の分解能、例えば絶縁スペーサ３２の配置間隔に応じて決定され、円形で形成される場合、通常は直径１〜７ｍｍ程度が望ましい。先端部４２ａの断面が小さすぎるとタッチパネル３を突き刺して破損させる恐れがあり、大きすぎると押圧領域が大きくなり、ひいては押圧の操作加減によって異なる位置を押圧してしまう。これに対し、操作面４１は、指や専用のペンで押圧操作し易い大きさとされ、円形で形成される場合、通常は直径５〜３０ｍｍ程度が望ましく、より望ましくは直径７〜２５ｍｍ程度が良い。操作面４１の断面が小さすぎると押圧釦４の操作性が悪くなり、大きすぎるとスペースを取ってしまい、ひいてはタッチスクリーン１全体が大きくなってしまう。なお、押圧突起４２の先端部４２ａの断面は、少なくとも操作面４１より小さく形成される。なお、操作面４１及び押圧突起４２の先端４２ａの形状は必ずしも円形である必要がなく、例えば三角形、四角形等の多角形としても良い。
【００２３】
そして、押圧釦４は、カバー５に設けられた取付開口５２に滑動可能に嵌合され、操作面４１を指や専用のペンで押圧操作されて、押圧突起４２の先端部４２ａでタッチパネル３上の所定の微小領域Ｍを押圧する。
【００２４】
カバー５は、タッチスクリーン１の前面部を覆うものであり、液晶パネル２の画像表示領域に対応する表示開口５１と、押圧釦４を取り付ける取付開口５２とが形成される。
【００２５】
制御部は、液晶パネル２やタッチパネル３などのタッチスクリーン１の各部の制御を行なうものであり、以下に説明するタッチパネル３の座標の校正処理の全部又は一部の処理を行なう。
【００２６】
（１−２）タッチパネルの座標の校正手順：
次に、タッチスクリーン１のタッチパネル３の座標の校正手順について、図３を参照して説明する。図３は、第１実施形態に係るタッチパネルの座標の校正手順を示すフローチャートである。
【００２７】
先ず、タッチスクリーン１は、液晶パネル２に表示される校正開始指示用のアイコン等が操作されることによりタッチパネル３の座標の校正を行なう旨の指示を受け、校正を開始する（ステップＳ１）。具体的には、タッチスクリーン１は、例えば、「設定」メニュー中の「座標校正」アイコンを液晶パネル２に表示させ、この「座標校正」アイコンが指や専用ペンで押圧されることによりタッチパネル３の座標の校正を行なう旨の指示を受け付け、校正を開始する。
【００２８】
次いで、タッチスクリーン１は、押圧釦４の押圧を促す旨の表示を液晶パネル２に表示し、この指示に従って押圧された押圧釦４の押圧突起４２の先端部４２ａが押圧する所定の微小領域Ｍの検出座標値Ｐ（ｘ，ｙ）を検出する（ステップＳ２）。
【００２９】
次いで、タッチスクリーン１は、ステップＳ２で得られた検出座標値Ｐ（ｘ，ｙ）を、押圧釦４の押圧突起４２の先端部４２ａが押圧する所定の微小領域Ｍの位置として予め設定されている基準座標値Ｐ０（ｘ０，ｙ０）と比較して、座標差分ΔＰ（ｘ０−ｘ，ｙ０−ｙ）を算出する（ステップＳ３）。
【００３０】
次いで、タッチスクリーン１は、ステップＳ３で算出した座標差分ΔＰ（ｘ０−ｘ，ｙ０−ｙ）を制御部のメモリに記憶し校正処理を終了する（ステップＳ４）。そして、その後に、タッチパネル３上の任意のタッチポイントの座標値を検出する際に、座標差分ΔＰ（ｘ０−ｘ，ｙ０−ｙ）を加算して座標値を特定する。
【００３１】
以上説明したように、タッチスクリーン１は、カバー５の取付開口５２に滑動可能に嵌合された押圧釦４によって所定の微小領域Ｍを押圧するので、所定の微小領域Ｍを正確に押圧することができ、また押圧突起４２の先端部４２ａの断面に比して大きい操作面４１により押圧操作を行なうので押圧操作を容易に行なうことができる。従って、タッチスクリーン１は、タッチパネル３の座標の校正を正確且つ容易に行なうことができる。
【００３２】
（２）第２実施形態：
第２実施形態に係るタッチスクリーンは、第１実施形態に係るタッチスクリーンの押圧釦を操作釦としての機能を併せ持つようにしたものであり、他の部分については基本的に第１実施形態に係るタッチスクリーンと同一の構成であるので、同一の構成には同一の符号を用い、ここでの説明は省略する。
【００３３】
（２−１）タッチスクリーンの構成：
先ず、第２実施形態に係るタッチスクリーンの構成について、図４を参照して説明する。図４は、第２実施形態に係るタッチスクリーンの概略図である。図４において、（Ａ）は正面図、（Ｂ）は（Ａ）におけるａ−ａ断面図、（Ｃ）は（Ａ）におけるｂ−ｂ断面図である。
【００３４】
図４に示すように、タッチスクリーン１１は、液晶パネル２と、タッチパネル３と、電源釦１４ａ及び入力釦１４ｂと、カバー５と、制御部（図示せず）と、を主に備えて構成される。
【００３５】
電源釦１４ａ及び入力釦１４ｂは、第１実施形態に係る押圧釦４と同様の機能を有するとともに、タッチスクリーン１１の電源のＯＮ／ＯＦＦや指示入力を行なうものである。具体的には、電源釦１４ａ及び入力釦１４ｂは、押圧釦４と同様に操作面４１と押圧突起４２とで構成され、更に、押圧突起４２の先端部４２ａはスイッチ接点として構成される。そして、電源釦１４ａは、押圧操作された場合に、押圧突起４２の先端部４２ａで所定の微小領域Ｍを押圧するとともに、スイッチ接点を閉じて電源のＯＮ／ＯＦＦを反転させ、また、入力釦１４ｂは、押圧操作された場合に、押圧突起４２の先端部４２ａで所定の微小領域Ｍを押圧するとともに、スイッチ接点を閉じて所定の入力操作を行なう。
【００３６】
（２−２）タッチパネルの座標の校正手順：
次に、タッチスクリーン１１のタッチパネル３の座標の校正手順について、図５を参照して説明する。図５（Ａ）は電源釦１４ａが押圧操作された場合のタッチパネルの座標の校正手順を示すフローチャートであり、（Ｂ）は入力釦１４ｂが押圧操作された場合のタッチパネルの座標の校正手順を示すフローチャートである。
【００３７】
始めに、電源釦１４ａが押圧操作された場合のタッチパネルの座標の校正手順について説明する。図５（Ａ）に示すように、タッチスクリーン１１は、電源釦１４ａが押圧操作されて電源がＯＮされると同時にタッチパネル３の座標の校正を開始し（ステップＳ１１）、電源釦４の押圧突起４２の先端部４２ｂが押圧する所定の微小領域Ｍの検出座標値Ｐ（ｘ，ｙ）を検出する（ステップＳ１２）。
【００３８】
次いで、タッチスクリーン１１は、ステップＳ１２で得られた検出座標値Ｐ（ｘ，ｙ）を、電源釦４の押圧突起４２の先端部４２ａが押圧する所定の微小領域Ｍの位置として予め設定されている基準座標値Ｐ０（ｘ０，ｙ０）と比較して、座標差分ΔＰ（ｘ０−ｘ，ｙ０−ｙ）を算出する（ステップＳ１３）。
【００３９】
次いで、タッチスクリーン１１は、ステップＳ１３で算出した座標差分ΔＰ（ｘ０−ｘ，ｙ０−ｙ）を制御部のメモリに記憶し校正処理を終了する（ステップＳ１４）。そして、その後に、タッチパネル３上の任意のタッチポイントの座標値を検出する際に、座標差分ΔＰ（ｘ０−ｘ，ｙ０−ｙ）を加算して座標値を特定する。
【００４０】
次に、入力釦１４ｂが押圧操作された場合のタッチパネルの座標の校正手順について説明する。図５（Ｂ）に示すように、タッチスクリーン１１は、入力釦１４ｂが押圧操作されて所定の入力が成されると同時にタッチパネル３の校正を開始し（ステップＳ２１）、入力釦４の押圧突起４２の先端部４２ａが押圧する所定の微小領域Ｍの検出座標値Ｐ（ｘ，ｙ）を検出する（ステップＳ２２）。
【００４１】
次いで、タッチスクリーン１１は、ステップＳ２２で得られた検出座標値Ｐ（ｘ，ｙ）を、入力釦４の押圧突起４２の先端部４２ａが押圧する所定の微小領域Ｍの位置として予め設定されている基準座標値Ｐ０（ｘ０，ｙ０）と比較して、座標差分ΔＰ（ｘ０−ｘ，ｙ０−ｙ）を算出する（ステップＳ２３）。
【００４２】
次いで、タッチスクリーン１１は、ステップＳ２３で算出した座標差分ΔＰ（ｘ０−ｘ，ｙ０−ｙ）を制御部のメモリに記憶し校正処理を終了する（ステップＳ２４）。そして、その後に、タッチパネル３上の任意のタッチポイントの座標値を検出する際に、座標差分ΔＰ（ｘ０−ｘ，ｙ０−ｙ）を加算して座標値を特定する。
【００４３】
以上説明したように、タッチスクリーン１１は、電源釦１４ａ及び入力釦１４ｂを操作する際に、当該電源釦１４ａ及び入力釦１４ｂに設けた押圧突起４２の先端部４２ａでタッチパネル３上の所定の微小領域Ｍを押圧して座標の校正を行なうので、電源釦１４ａや入力釦１４ｂでの通常の操作過程でタッチパネル３の校正を行なうことができる。即ち、タッチスクリーン１１は、電源釦１４ａ及び入力釦１４ｂを操作する際にユーザが意識することなくタッチパネル３の座標を校正することができ、常に適切な座標に校正された状態でタッチパネル３を使用することができる。また、タッチスクリーン１１は、電源釦１４ａ及び入力釦１４ｂをカバー５の取付開口５２に滑動可能に嵌合して配置しており、従って当該電源釦１４ａ及び入力釦１４ｂの押圧突起４２の先端部４２ａでタッチパネル３上の所定の微小領域Ｍを常に正確に押圧することができ、精度良くタッチパネル３の座標を校正することができる。
【００４４】
（３）第３実施形態：
第３実施形態に係るタッチスクリーンは、第１実施形態に係るタッチスクリーンの押圧釦を操作釦としての機能を併せ持つようにし、更に、操作面を画像表示領域外に、押圧突起を画像表示領域内にそれぞれ位置させるように押圧釦を構成したものであり、他の部分については基本的に第１実施形態に係るタッチスクリーンと同一の構成であるので、同一の構成には同一の符号を用い、ここでの説明は省略する。
【００４５】
（３−１）タッチスクリーンの構成：
先ず、第３実施形態に係るタッチスクリーンの構成について、図６を参照して説明する。図６は、第３実施形態に係るタッチスクリーンの概略図である。図６において、（Ａ）は正面図、（Ｂ）は（Ａ）におけるａ−ａ断面図、（Ｃ）は（Ａ）におけるｂ−ｂ断面図、（Ｄ）は（Ａ）におけるｃ−ｃ断面図である。
【００４６】
図６に示すように、タッチスクリーン２１は、液晶パネル２と、タッチパネル３と、電源釦２４ａ及び入力釦２４ｂと、カバー５と、制御部（図示せず）と、を主に備えて構成される。
【００４７】
電源釦２４ａ及び入力釦２４ｂは、押圧操作される操作面４１と、タッチパネル上の微小領域Ｍを押圧する押圧突起４２と、操作面４１と押圧突起４２とを押圧方向Ｑと直行する方向Ｒに延長させて連結する連結部材４３とを有して構成される。そして、電源釦２４ａ及び入力釦２４ｂは、操作面４１が押圧操作されることにより連結部材４３で押圧突起４２を押し下げ、押圧突起４２の先端部４２ａで画像表示領域内にある所定の微小領域Ｍを押圧する。また、電源釦２４ａ及び入力釦２４ｂは、第２実施形態と同様に公知の電源釦及び入力釦と同様の構成を有し、具体的には、押圧突起４２の先端部４２ａをスイッチ接点として構成される。
【００４８】
（３−２）タッチパネルの座標の校正手順：
タッチスクリーン２１のタッチパネル３の座標の校正手順は、第２実施形態におけるタッチスクリーン１１のタッチパネル３の校正手順と基本的に同一であるので、ここでの説明は省略する。
【００４９】
以上説明したように、タッチスクリーン２１は、電源釦２４ａ及び入力釦２４ｂを操作する際に、当該電源釦２４ａ及び入力釦２４ｂに設けた押圧突起でタッチパネル３上の所定の微小領域Ｍを押圧して座標の校正を行なうので、電源釦２４ａや入力釦２４ｂでの通常の操作過程でタッチパネル３の校正を行なうことができる。即ち、タッチスクリーン２１は、電源釦２４ａ及び入力釦２４ｂを操作する際にユーザが意識することなくタッチパネル３の座標を校正することができ、常に適切な座標に校正された状態でタッチパネル３を使用することができる。また、タッチスクリーン２１は、電源釦２４ａ及び入力釦２４ｂをカバー５の取付開口５２に滑動可能に嵌合して配置しており、従って当該電源釦２４ａ及び入力釦２４ｂの押圧突起４２の先端部４２ａでタッチパネル３上の所定の微小領域Ｍを常に正確に押圧することができ、精度良くタッチパネル３の座標を校正することができる。更に、タッチスクリーン２１は、電源釦２４ａ及び入力釦２４ｂの押圧突起４２を連結部材４３により画像表示領域内にまで延長して設けたので、タッチパネル３を画像表示領域外にまで延在させて設ける必要がなく、タッチパネル３の低コスト化を図れる。
【００５０】
なお、電源釦２４ａ及び入力釦２４ｂの画像表示領域内に位置する部分、即ち押圧突起４２及び連結部在４３の一部を透視性の部材、例えば透明部材で構成することにより、当該部分により画像表示性が低下することを防ぐことができる。
【００５１】
（４）第４実施形態：
第４実施形態に係るタッチスクリーンは、第１実施形態に係るタッチスクリーンの押圧釦４を自動で押圧操作できるようにしたものであり、他の部分については基本的に第１実施形態に係るタッチスクリーンと同一の構成であるので、同一の構成には同一の符号を用い、ここでの説明は省略する。
【００５２】
（４−１）タッチスクリーンの構成：
第４実施形態に係るタッチスクリーンの全体構成は、基本的に第１実勢形態に係るタッチスクリーンの全体構成と同様であるので、ここでは押圧釦４を自動で押圧操作する部分の構成について、図７を参照して説明する。図７は、第４実施形態に係るタッチスクリーンの自動押圧操作機構を示す概略図である。
【００５３】
図７に示すように、タッチスクリーン１は、第１実施形態の構成に加えて、押圧釦４に連結されて押圧釦４を押圧操作する押下部材６と、押下部材６を押下駆動させる駆動部７と、駆動部７を駆動させる間隔を設定するタイマー８と、タッチスクリーン１の電源がＯＮされたことを検出する電源検出器９と、を備えて構成される。
【００５４】
タイマー８は、駆動部７を駆動する間隔を設定するもので、例えば、１０時間毎に繰り返して駆動部材７を押下駆動するように設定される。
【００５５】
電源検出器９は、タッチスクリーン１の電源がＯＮされたことを検出するもので、例えば、電源ＯＮが検出された場合に駆動部７を駆動させるとともに、タイマー８をスタートさせる。なお、タイマー８及び電源検出器９は、本発明の駆動制御部として機能する。
【００５６】
以上のように、タッチスクリーン１は、タイマー８及び電源検出器９により電源ＯＮの際及び電源ＯＮからタイマーに設定された所定時間毎に駆動部７を駆動させ、押下部材を介して押圧釦４を押圧操作して、タッチスクリーン３の座標を自動で校正することができ、煩雑なく校正を行なうことができる。
【００５７】
（５）他の実施形態
以上の実施形態では、検出座標値と基準座標値との座標値差に基づいてタッチパネルの座標を校正する場合の一例として、検出座標値と基準座標値との座標差分に基づいてタッチパネルの座標を校正する場合を示したが、これに限られず、検出座標値と基準座標値との座標値差（即ち、座標値の差異）に基づいて他の方法によりタッチパネルの座標を校正しても良い。
【００５８】
更に、本発明は前述した実施形態に限定されるものではなく、特許請求の範囲に記載された発明の範囲内で、様々に変形又は変更することが可能である。
【図面の簡単な説明】
【００５９】
【図１】第１実施形態に係るタッチスクリーンの概略図である。（Ａ）は正面図、（Ｂ）は（Ａ）におけるａ−ａ断面図、（Ｃ）は（Ａ）におけるｂ−ｂ断面図、（Ｄ）は（Ｂ）における押圧釦部分の拡大図である。
【図２】第１実施形態に係るタッチパネルの断面図である
【図３】第１実施形態に係るタッチパネルの座標の校正手順を示すフローチャートである。
【図４】第２実施形態に係るタッチスクリーンの概略図である。（Ａ）は正面図、（Ｂ）は（Ａ）におけるａ−ａ断面図、（Ｃ）は（Ａ）におけるｂ−ｂ断面図である。
【図５】（Ａ）は電源釦１４ａが押圧操作された場合のタッチパネルの座標の校正手順を示すフローチャートであり、（Ｂ）は入力釦１４ｂが押圧操作された場合のタッチパネルの座標の校正手順を示すフローチャートである。
【図６】第３実施形態に係るタッチスクリーンの概略図である。（Ａ）は正面図、（Ｂ）は（Ａ）におけるａ−ａ断面図、（Ｃ）は（Ａ）におけるｂ−ｂ断面図、（Ｄ）は（Ａ）におけるｃ−ｃ断面図である。
【図７】第４実施形態に係るタッチスクリーンの自動押圧操作機構を示す概略図である。
【符号の説明】
【００６０】
１  タッチスクリーン
２  液晶パネル
３  タッチパネル
４  押圧釦
４１  操作面
４２  押圧突起
４２ａ  先端部
５  カバー
５１  表示開口
５２  取付開口
【図１】
2005157675.tif 000003
【図２】
2005157675.tif 000004
【図３】
2005157675.tif 000005
【図４】
2005157675.tif 000006
【図５】
2005157675.tif 000007
【図６】
2005157675.tif 000008
【図７】
2005157675.tif 000009